【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】  ホイールリム面と、前記ホイールリム面を取り巻くトレッド支持面と、前記トレッド支持面と前記ホイールリム面との間の内部構造とを有するタイヤサポートを作成する加工モールドにおいて、
ａ．縦軸線および径方向の軸線を有する可動な一体のマンドレルであって、
ｉ．前記縦軸線に沿って離間して配置された第１の端部および第２の端部で、前記第１の端部が第１のモールド体当接部を備えるとともに前記第２の端部が第２のモールド体当接部を備えた前記第１の端部および前記第２の端部と、
ｉｉ．前記第１の端部と前記第２の端部とを縦方向につないだマンドレル本体で、前記マンドレル本体の外寸を区画するマンドレル壁を備え、前記外寸は、前記径方向の軸線に沿っており、前記マンドレル壁は、前記ホイールリム面を形成するのに適している前記マンドレル本体とを、具備したマンドレルと、
ｂ．第１のモールド体であって、
ｉ．前記マンドレルの前記第１のモールド体当接部と係合して、第１の係合を形成する第１のマンドレル当接部と、
ｉｉ．第１のモールド支持部とを、具備した前記第１のモールド体と、
ｃ．前記第１のモールド体と対向する第２のモールド体であって、前記第１のモールド体と前記第２のモールド体とが、前記マンドレルによって整列され、前記第２のモールド体は、
ｉ．流体高分子材料又はプレポリマー材を受容する注入口と、
ｉｉ．第２のマンドレル当接部で、前記マンドレルの前記第２のモールド体当接部と係合し、前記第２のマンドレル当接部は、前記注入口に近接しており、前記注入口と流体が連通する分配ポートを備えた前記第２のマンドレル当接部と、
ｉｉｉ．第２のモールド支持部で、前記第１のモールド支持部と接し、前記第１のモールド支持部もしくは前記第２のモールド支持部又はこれら両者が前記トレッド支持面を形成する前記第２のモールド支持部とを、具備した前記第２のモールド体と、
ｄ．タイヤサポートを成形するタイヤサポート領域であって、前記マンドレル壁、前記第１のモールド支持部、および前記第２のモールド支持部により形成され、前記分配ポートと流体が連通する前記タイヤサポート領域とを、
備えたことを特徴とする加工モールド。
【請求項２】  前記第１のモールド体は、前記第１の係合に対して操作可能に連結される少なくとも１つのロック部材をさらに備える、請求項１に記載の加工モールド。
【請求項３】  前記マンドレル壁に近接したタイヤサポート強化材を、さらに備え、前記タイヤサポート強化材は、着脱可能であるとともに前記タイヤサポート内に組み込まれて成形されるのに適している、請求項１に記載の加工モールド。
【請求項４】  ａ．前記第１のモールド支持部は、前記第１のマンドレル当接部を囲む第１の支持端部を備え、
ｂ．前記第２のモールド支持部は、
ｉ．前記第２のマンドレル当接部を囲む第２の支持端部と、
ｉｉ．前記マンドレルに対して周囲に離間して配置された第２の支持壁とを、備え、
ｃ．前記第２の支持壁は、前記タイヤサポートの前記トレッド支持面を区画する、請求項１に記載の加工モールド。
【請求項５】  前記第２のモールド体は、第１のモールド・プレートおよび第２のモールド・プレートを備え、前記第１のモールド・プレートは、前記第２のモールド支持部の前記第２の支持端部を備え、前記第２のモールド・プレートは、前記第２のモールド支持部の前記第２の支持壁を備える、請求項１に記載の加工モールド。
【請求項６】  ａ．前記第１のモールド支持部は、
ｉ．前記第１のマンドレル当接部に対して周囲に離間して配置されるとともに、第２の端部の反対側の第１の端部を有する第１の支持壁と、
ｉｉ．前記第１のマンドレル当接部と前記第１の支持壁の前記第１の端部とをつなぐ第１の支持端部とを、備え、
ｂ．前記第２のモールド支持部は、
ｉ．前記マンドレルに対して周囲に離間して配置されるとともに、第２の端部の反対側の第１の端部を有する第２の支持壁で、前記第２の支持壁の前記第２の端部は、前記第１の支持壁の前記第２の端部に接する前記第２の支持壁と、
ｉｉ．前記第２のマンドレル当接部と前記第２の支持壁の前記第１の端部とをつなぐ第２の支持端部とを、備え
前記第１の支持壁および前記第２の支持壁は、前記タイヤサポートの前記トレッド支持面を形成する、請求項１に記載の加工モールド。
【請求項７】  前記第１のモールド体は、第１のモールド・プレートおよび第２のモールド・プレートを備え、前記第１のモールド・プレートはクランプ・プレートであり、前記第２のモールド・プレートは前記第１のモールド支持部を備え、前記第１のモールド・プレートおよび前記第２のモールド・プレートは、それらの間に分離したロック部材を有し、前記ロック部材は、引込可能であり、前記加工モールドが開いた場合に、前記マンドレルの前記第１の端部と係合して、前記マンドレルを前記第１のモールド体に係合させるのに適している、請求項１に記載の加工モールド。
【請求項８】  前記第２のモールド体は、
ａ．タイヤサポートのトレッド支持面を形成する４つの組立式のモールド・プレートと、
ｂ．前記４つの組立式のモールド・プレートに近接した第５のモールド・プレートと、
ｃ．前記第５のモールド・プレートと前記４つの組立式のモールド・プレートとの間にあって、前記タイヤサポートを前記加工モールドから取り出しやすくするストリッパ・プレートとを、
備える、請求項１に記載の加工モールド。
【請求項９】  前記第１のマンドレル当接部はテーパー状受容部を備え、前記第１のモールド体当接部はテーパー状部材を備える、請求項１に記載の加工モールド。
【請求項１０】  前記第２のマンドレル当接部はテーパー状受容部を備え、前記第２のモールド体当接部はテーパー状部材を備える、請求項１に記載の加工モールド。
【請求項１１】  リブ付きの内部構造を有するタイヤサポートを形成するために、前記第１のモールド体又は前記第２のモールド体の少なくとも一方におけるマンドレル壁の周囲に離間して配置された複数のタイヤサポート部材を、さらに備える、請求項１に記載の加工モールド。
【請求項１２】  前記第１のモールド体および前記第２のモールド体の前記マンドレルに対する整列を支援する少なくとも１つの整列部品を、備えたことを特徴とする請求項１記載の加工モールド。
【請求項１３】  離型機能をさらに備え、前記離型機能は、０°からそれた抜き勾配、ロック−離型部、又は突出し機構の少なくとも１つを備える、請求項１に記載の加工モールド。
【請求項１４】  前記注入口は、湯口を備える、請求項１に記載の加工モールド。
【請求項１５】  前記分配ポートは、直線状チャネル、環状チャネル、又は分岐チャネルの少なくとも１つを備える、請求項１に記載の加工モールド。
【請求項１６】  前記分配ポート、又は前記マンドレルの前記第２の端部の少なくとも一方は、材料検査に用いるのに適したプラークを成形するための少なくとも１つのプラーク貯留部を、さらに備える、請求項１に記載の加工モールド。
【請求項１７】  前記第１のモールド体、又は前記マンドレルの前記第１の端部の少なくとも一方は、少なくとも１つのオーバーフローチャンバをさらに備える、請求項１に記載の加工モールド。
【請求項１８】  タイヤサポートを加工モールドから離型させる方法において、
ａ．高分子材料又はプレポリマー材、加工モールドに注入し、前記加工モールドは、第２のモールド体に対向した第１のモールド体を備え、前記第１および前記第２のモールド体は、可動な一体のマンドレルによって整列され、前記第１のモールド体、前記第２のモールド体、および前記マンドレルが、タイヤサポート成形用のタイヤサポート領域を形成することと、
ｂ．前記タイヤサポート領域内にタイヤサポートを形成することと、
ｃ．前記マンドレルを前記第１のモールド体に対してロックすることと、
ｄ．前記第１のモールド体と第２のモールド体とを分離し、前記マンドレルは前記第１のモールド体とともに分離されることと、
ｅ．前記タイヤサポートを離型させることと有する、方法。
【請求項１９】  前記加工モールドは、請求項１から請求項１７のいずれか一つの請求項に従った加工モールドである、請求項１８記載の方法。
【請求項２０】  前記マンドレルは形成の間において、前記第１のモールド体と前記第２のモールド体とを係合するために使用されるクランプ力より整列され所定位置に保持される、請求項１８記載の方法。